(57)【要約】  【課題】  ＤＶＤ−Ｖｉｄｅｏの光ディスクが再生できない場合に、なぜ再生できないかを調査して、ユーザはどのように対処すれば良いかを支援することができる機能を有する光ディスク装置を提供する。  【解決手段】  当該光ディスクのデータが正常に読み出されなかったときエラー表示が行われ、これにより当該光ディスクはデータが記録されていない光ディスク、傷が付いている光ディスク、もしくは安価な光ディスクで作成された光ディスクの可能性があることが分る。また、当該光ディスクが規格違反のときエラー表示が行われ、これにより作成したソフトウェアの提供業者や装置の製造元に問い合わせてもらうように指示できる。また、当該光ディスクがＤＶＤ−Ｖｉｄｅｏの規格の光ディスクでないときエラー表示が行われ、これによりＤＶＤ−Ｖｉｄｅｏが記録された光ディスクを挿入してもらうように指示できる。【選択図】      図８
2006351153.tif 000002
【特許請求の範囲】
【請求項１】
光ディスクに記録された情報を再生、または光ディスクに対して情報の記録／再生を行
う光ディスク装置において、光ディスクが挿入された後、当該光ディスクに記録されたデ
ータが正常に読み出されたか否かを判定する読出判定手段と、前記データが正常に読み出
されなかったと判定されたときにリードエラーをディスプレイ装置に表示させるリードエ
ラー表示手段と、前記データが正常に読み出されたと判定されたときに当該光ディスクに
ＵＤＦ（Universal Disc Format）が記録されているか否かを判定するＵＤＦ記録判定手
段と、前記ＵＤＦが記録されていると判定されたときにＤＶＤ−Ｖｉｄｅｏに必要な情報
が記録されているか否かを判定する第１のＤＶＤ−Ｖｉｄｅｏ記録判定手段と、前記ＤＶ
Ｄ−Ｖｉｄｅｏに必要な情報が記録されていると判定されたときに当該光ディスクは再生
可能な光ディスクとして再生させる再生制御手段と、前記ＵＤＦ記録判定手段により前記
ＵＤＦが記録されていないと判定されたときに当該光ディスクにＩＳＯ（国際標準化機構
）９６６０が記録されているか否かを判定するＩＳＯ９６６０記録判定手段と、前記ＩＳ
Ｏ９６６０が記録されていないと判定されたときに当該光ディスクはデータが記録されて
いない光ディスクとしてエラー表示をディスプレイ装置に表示させるデータ未記録エラー
表示手段と、前記ＩＳＯ９６６０が記録されていると判定されたときにＤＶＤ−Ｖｉｄｅ
ｏに必要な情報が記録されているか否かを判定する第２のＤＶＤ−Ｖｉｄｅｏ記録判定手
段と、前記第１のＤＶＤ−Ｖｉｄｅｏ記録判定手段または前記第２のＤＶＤ−Ｖｉｄｅｏ
記録判定手段により前記ＤＶＤ−Ｖｉｄｅｏに必要な情報が記録されていないと判定され
たときに当該光ディスクはＤＶＤ−Ｖｉｄｅｏではないというエラーをディスプレイ装置
に表示させる異ＤＶＤ−Ｖｉｄｅｏエラー表示手段と、前記第２のＤＶＤ−Ｖｉｄｅｏ記
録判定手段により前記ＤＶＤ−Ｖｉｄｅｏに必要な情報が記録されていると判定されたと
きに当該光ディスクは規格違反の光ディスクとしてエラーをディスプレイ装置に表示させ
る規格違反ディスクエラー表示手段とを有するシステムコントローラを備えたことを特徴
とする光ディスク装置。
【請求項２】
光ディスクに記録された情報を再生、または光ディスクに対して情報の記録／再生を行
う光ディスク装置において、光ディスクが挿入された後、当該光ディスクのデータが正常
に読み出されなかったときのエラー表示、当該光ディスクが規格違反のときのエラー表示
、および当該光ディスクがＤＶＤ−Ｖｉｄｅｏの規格の光ディスクでないときのエラー表
示をディスプレイ装置に行わせるシステムコントローラを備えたことを特徴とする光ディ
スク装置。
【請求項３】
前記システムコントローラは、光ディスクが挿入された後、当該光ディスクに記録され
たデータが正常に読み出されたか否かを判定する読出判定手段と、前記データが正常に読
み出されなかったと判定されたときにリードエラーをディスプレイ装置に表示させるリー
ドエラー表示手段と、前記データが正常に読み出されたと判定されたときに当該光ディス
クに第１のフォーマットが記録されているか否かを判定する第１のフォーマット記録判定
手段と、前記第１のフォーマットが記録されていると判定されたときにＤＶＤ−Ｖｉｄｅ
ｏに必要な情報が記録されているか否かを判定する第１のＤＶＤ−Ｖｉｄｅｏ記録判定手
段と、前記ＤＶＤ−Ｖｉｄｅｏに必要な情報が記録されていると判定されたときに当該光
ディスクは再生可能な光ディスクとして再生させる再生制御手段と、前記第１のフォーマ
ット記録判定手段により前記第１のフォーマットが記録されていないと判定されたときに
当該光ディスクに第２のフォーマットが記録されているか否かを判定する第２のフォーマ
ット記録判定手段と、前記第２のフォーマットが記録されていないと判定されたときに当
該光ディスクはデータが記録されていない光ディスクとしてエラー表示をディスプレイ装
置に表示させるデータ未記録エラー表示手段と、前記第２のフォーマットが記録されてい
ると判定されたときにＤＶＤ−Ｖｉｄｅｏに必要な情報が記録されているか否かを判定す
る第２のＤＶＤ−Ｖｉｄｅｏ記録判定手段と、前記第１または第２のＤＶＤ−Ｖｉｄｅｏ
記録判定手段により前記ＤＶＤ−Ｖｉｄｅｏに必要な情報が記録されていないと判定され
たときに当該光ディスクはＤＶＤ−Ｖｉｄｅｏではないというエラーをディスプレイ装置
に表示させる異ＤＶＤ−Ｖｉｄｅｏエラー表示手段と、前記第２のＤＶＤ−Ｖｉｄｅｏ記
録判定手段により前記ＤＶＤ−Ｖｉｄｅｏに必要な情報が記録されていると判定されたと
きに当該光ディスクは規格違反の光ディスクとしてエラーをディスプレイ装置に表示させ
る規格違反ディスクエラー表示手段とを有することを特徴とする請求項２に記載の光ディ
スク装置。
【請求項４】
前記第１のフォーマットはＵＤＦであり、前記第２のフォーマットはＩＳＯ９６６０で
あることを特徴とする請求項３に記載の光ディスク装置。
【発明の詳細な説明】
【技術分野】
【０００１】
本発明は、光ディスクに記録された情報を再生、または光ディスクに対して情報の記録
／再生を行う光ディスク装置に関し、特に、光ディスクが再生できなかった場合のユーザ
への対処を支援するための処理に関する。
【背景技術】
【０００２】
近年、映画等のような大量の映像音声データなどの情報を記録することができる光ディ
スクであるＤＶＤ（デジタル・バーサタイル・ディスク）が普及しつつある。ＤＶＤの種
類としては、メーカ側で情報が記録され、ユーザ側では書き換えができないＤＶＤ−ＲＯ
ＭタイプのＤＶＤ、ユーザ側で情報を１回だけ記録できるＤＶＤ−ＲタイプのＤＶＤ、ユ
ーザ側で書き換え可能なＤＶＤ−ＲＷ（ＤＶＤ−ＲＡＭ）タイプのＤＶＤなどが知られて
いる。これらのＤＶＤに記録された情報は、ＤＶＤプレイヤまたはＤＶＤレコーダで再生
可能であり、ＤＶＤ−ＲタイプのＤＶＤやＤＶＤ−ＲＷ（ＤＶＤ−ＲＡＭ）タイプのＤＶ
Ｄなどへの情報の記録は、ＤＶＤレコーダで可能である。
【０００３】
ところで、このようなＤＶＤの光ディスクは、年々高密度化してきているので、ＤＶＤ
プレイヤやＤＶＤレコーダなどの光ディスク装置では、光ディスクから読み出したデータ
の厳密な処理を行う必要上、光ディスクの記録面の些細な汚れによって生じた微細な不適
正な信号に対しても読み込みエラーが発生したとして処理を行い、以降の動作を停止する
などの処置がなされてしまい、そのＤＶＤの光ディスクの適正な再生を行うことができな
くなってしまう。
【０００４】
このような場合には、ユーザが光ディスクの記録面の拭き取りなどのクリーニング操作
を行えば解決し、この光ディスクの再生を行うことができるのに対して、例えば、光ディ
スクの記録面に指紋が付いている場合には一見しただけでは、それが分らず、また、これ
に気付いたとしても、以前から使い慣れているＣＤの光ディスクと同様に、指紋は当該光
ディスクの読み取りに影響しないと考えることも多いため、ＤＶＤの光ディスクの読み取
りエラーは、その指紋が原因となっていることに気が付かない場合が多い。
【０００５】
その場合には、ユーザは単にＤＶＤの光ディスクの記録面の汚れなどに原因があるだけ
ではなく、ＤＶＤの光ディスクの記録データが不適正のためか、あるいは光ディスク装置
の光ピックアップを含め、光ディスク装置側に問題があるのではないかと誤解し、光ディ
スク装置を修理に出すなどの対応を行ったりしている。
【特許文献１】特開２００３−１４１８１９号公報
【特許文献２】特開２００２−１７６６２３号公報
【発明の開示】
【発明が解決しようとする課題】
【０００６】
しかしながら、再生できないのは、ＤＶＤの光ディスクの記録面の汚れなどに原因があ
るだけではなく、最近普及してきているＤＶＤ−Ｖｉｄｅｏ作成ソフトウェアにより、一
般ユーザがパーソナルコンピュータを用いてＤＶＤ−Ｖｉｄｅｏ作成ソフトウェアにより
ＤＶＤ−Ｖｉｄｅｏの光ディスクを作成して、このＤＶＤ−Ｖｉｄｅｏの光ディスクが再
生できない場合に、ユーザはどのように対処すれば良いかが分らないという課題が生じる
。
【０００７】
なお、特許文献１の従来技術は、光ディスクの汚れなどの場合、クリーニングを促すが
、データ記録方式の違いや、ＤＶＤ−Ｖｉｄｅｏの規則違反などを表示するものではない
ので、上記課題を解決できるものではない。
【０００８】
また、特許文献２の従来技術は、エラーレートが所定値以上であるときには、最も可能
性の高い光ディスクのクリーニングを促すようにしたものであり、また、その他、例えば
光ピックアップのレンズ表面の汚れなどの原因を列挙することもできるが、この従来技術
も、データ記録方式の違いや、ＤＶＤ−Ｖｉｄｅｏの規則違反などを表示するものではな
いので、上記課題を解決できるものではない。
【０００９】
本発明は、上記のような課題を解決するためになされたもので、ＤＶＤ−Ｖｉｄｅｏの
光ディスクが再生できない場合に、なぜ再生できないかを調査して、ユーザはどのように
対処すれば良いかを支援することができる機能を有する光ディスク装置を提供することを
目的とする。
【課題を解決するための手段】
【００１０】
上記目的を達成するために、請求項１の発明は、光ディスクが挿入された後、当該光デ
ィスクに記録されたデータが正常に読み出されたか否かを判定する読出判定手段と、前記
データが正常に読み出されなかったと判定されたときにリードエラーをディスプレイ装置
に表示させるリードエラー表示手段と、前記データが正常に読み出されたと判定されたと
きに当該光ディスクにＵＤＦが記録されているか否かを判定するＵＤＦ記録判定手段と、
前記ＵＤＦが記録されていると判定されたときにＤＶＤ−Ｖｉｄｅｏに必要な情報が記録
されているか否かを判定する第１のＤＶＤ−Ｖｉｄｅｏ記録判定手段と、前記ＤＶＤ−Ｖ
ｉｄｅｏに必要な情報が記録されていると判定されたときに当該光ディスクは再生可能な
光ディスクとして再生させる再生制御手段と、前記ＵＤＦ記録判定手段により前記ＵＤＦ
が記録されていないと判定されたときに当該光ディスクにＩＳＯ９６６０が記録されてい
るか否かを判定するＩＳＯ９６６０記録判定手段と、前記ＩＳＯ９６６０が記録されてい
ないと判定されたときに当該光ディスクはデータが記録されていない光ディスクとしてエ
ラー表示をディスプレイ装置に表示させるデータ未記録エラー表示手段と、前記ＩＳＯ９
６６０が記録されていると判定されたときにＤＶＤ−Ｖｉｄｅｏに必要な情報が記録され
ているか否かを判定する第２のＤＶＤ−Ｖｉｄｅｏ記録判定手段と、前記第１または第２
のＤＶＤ−Ｖｉｄｅｏ記録判定手段により前記ＤＶＤ−Ｖｉｄｅｏに必要な情報が記録さ
れていないと判定されたときに当該光ディスクはＤＶＤ−Ｖｉｄｅｏではないというエラ
ーをディスプレイ装置に表示させる異ＤＶＤ−Ｖｉｄｅｏエラー表示手段と、前記第２の
ＤＶＤ−Ｖｉｄｅｏ記録判定手段により前記ＤＶＤ−Ｖｉｄｅｏに必要な情報が記録され
ていると判定されたときに当該光ディスクは規格違反の光ディスクとしてエラーをディス
プレイ装置に表示させる規格違反ディスクエラー表示手段とを有するシステムコントロー
ラを備えたことを特徴とする光ディスク装置を提供する。
【００１１】
この構成において、光ディスクが挿入された後、当該光ディスクに記録されたデータが
正常に読み出されなかったと読出判定手段により判定されたとき、リードエラーがリード
エラー表示手段によりディスプレイ装置に表示される。前記データが正常に読み出された
と判定されたとき、当該光ディスクにＵＤＦが記録されているか否かがＵＤＦ記録判定手
段により判定され、前記ＵＤＦが記録されていると判定されたときに、ＤＶＤ−Ｖｉｄｅ
ｏに必要な情報が記録されているか否かが第１のＤＶＤ−Ｖｉｄｅｏ記録判定手段により
判定され、前記ＤＶＤ−Ｖｉｄｅｏに必要な情報が記録されていると判定されたときに、
当該光ディスクは再生可能な光ディスクとして再生制御手段により再生される。
【００１２】
前記ＵＤＦ記録判定手段により前記ＵＤＦが記録されていないと判定されたときに、当
該光ディスクにＩＳＯ９６６０が記録されているか否かがＩＳＯ９６６０記録判定手段に
より判定される。前記ＩＳＯ９６６０が記録されていないと判定されたときに、当該光デ
ィスクはデータが記録されていない光ディスクとしてエラー表示がデータ未記録エラー表
示手段によりディスプレイ装置に表示される。前記ＩＳＯ９６６０が記録されていると判
定されたときは、ＤＶＤ−Ｖｉｄｅｏに必要な情報が記録されているか否かが第２のＤＶ
Ｄ−Ｖｉｄｅｏ記録判定手段により判定される。
【００１３】
前記第１のＤＶＤ−Ｖｉｄｅｏ記録判定手段または前記第２のＤＶＤ−Ｖｉｄｅｏ記録
判定手段により前記ＤＶＤ−Ｖｉｄｅｏに必要な情報が記録されていないと判定されたと
きに、当該光ディスクはＤＶＤ−Ｖｉｄｅｏではないというエラーが、異ＤＶＤ−Ｖｉｄ
ｅｏエラー表示手段によりディスプレイ装置に表示される。前記第２のＤＶＤ−Ｖｉｄｅ
ｏ記録判定手段により前記ＤＶＤ−Ｖｉｄｅｏに必要な情報が記録されていると判定され
たときは、当該光ディスクは規格違反の光ディスクとしてエラーが、規格違反ディスクエ
ラー表示手段によりディスプレイ装置に表示される。
【００１４】
この構成によれば、ＤＶＤ−Ｖｉｄｅｏの光ディスクが再生できない場合に、なぜ再生
できないかを調査して、ユーザはどのように対処すれば良いかを支援することができ、こ
れにより、一般ユーザのＤＶＤ−Ｖｉｄｅｏに関する専門知識の理解を深めることができ
、したがって、次回にＤＶＤ−Ｖｉｄｅｏを作成するときに失敗する確率を減らすことが
でき、ユーザからのクレームを減らすことができる。
【００１５】
請求項２の発明は、光ディスクが挿入された後、当該光ディスクのデータが正常に読み
出されなかったときのエラー表示、当該光ディスクが規格違反のときのエラー表示、およ
び当該光ディスクがＤＶＤ−Ｖｉｄｅｏの規格の光ディスクでないときのエラー表示をデ
ィスプレイ装置に行わせるシステムコントローラを備えたことを特徴とする光ディスク装
置を提供する。
【００１６】
この構成において、光ディスクが挿入された後、当該光ディスクのデータが正常に読み
出されなかったとき、ディスプレイ装置にエラー表示が行われ、これにより、当該光ディ
スクは、データが記録されていない光ディスク、傷が付いている光ディスク、もしくは安
価な光ディスクで作成された光ディスクの可能性があることが分り、別の新しい光ディス
クでＤＶＤ−Ｖｉｄｅｏを作成してもらうように指示することができる。
【００１７】
また、当該光ディスクが規格違反のとき、ディスプレイ装置にエラー表示が行われ、こ
れにより、作成したソフトウェアの提供業者、もしくは光ディスク装置の製造元に問い合
わせてもらうように指示することができる。また、当該光ディスクがＤＶＤ−Ｖｉｄｅｏ
の規格の光ディスクでないとき、ディスプレイ装置にエラー表示が行われ、これにより、
ＤＶＤ−Ｖｉｄｅｏが記録された光ディスクを挿入してもらうように指示することができ
る。
【００１８】
この構成によれば、ＤＶＤ−Ｖｉｄｅｏの光ディスクが再生できない場合に、なぜ再生
できないかを調査して、ユーザはどのように対処すれば良いかを支援することができ、こ
れにより、一般ユーザのＤＶＤ−Ｖｉｄｅｏに関する専門知識の理解を深めることができ
、したがって、次回にＤＶＤ−Ｖｉｄｅｏを作成するときに失敗する確率を減らすことが
でき、ユーザからのクレームを減らすことができる。
【００１９】
請求項３の発明では、請求項２の発明において、前記システムコントローラは、光ディ
スクが挿入された後、当該光ディスクに記録されたデータが正常に読み出されたか否かを
判定する読出判定手段と、前記データが正常に読み出されなかったと判定されたときにリ
ードエラーをディスプレイ装置に表示させるリードエラー表示手段と、前記データが正常
に読み出されたと判定されたときに当該光ディスクに第１のフォーマットが記録されてい
るか否かを判定する第１のフォーマット記録判定手段と、前記第１のフォーマットが記録
されていると判定されたときにＤＶＤ−Ｖｉｄｅｏに必要な情報が記録されているか否か
を判定する第１のＤＶＤ−Ｖｉｄｅｏ記録判定手段と、前記ＤＶＤ−Ｖｉｄｅｏに必要な
情報が記録されていると判定されたときに当該光ディスクは再生可能な光ディスクとして
再生させる再生制御手段と、前記第１のフォーマット記録判定手段により前記第１のフォ
ーマットが記録されていないと判定されたときに当該光ディスクに第２のフォーマットが
記録されているか否かを判定する第２のフォーマット記録判定手段と、前記第２のフォー
マットが記録されていないと判定されたときに当該光ディスクはデータが記録されていな
い光ディスクとしてエラー表示をディスプレイ装置に表示させるデータ未記録エラー表示
手段と、前記第２のフォーマットが記録されていると判定されたときにＤＶＤ−Ｖｉｄｅ
ｏに必要な情報が記録されているか否かを判定する第２のＤＶＤ−Ｖｉｄｅｏ記録判定手
段と、前記第１または第２のＤＶＤ−Ｖｉｄｅｏ記録判定手段により前記ＤＶＤ−Ｖｉｄ
ｅｏに必要な情報が記録されていないと判定されたときに当該光ディスクはＤＶＤ−Ｖｉ
ｄｅｏではないというエラーをディスプレイ装置に表示させる異ＤＶＤ−Ｖｉｄｅｏエラ
ー表示手段と、前記第２のＤＶＤ−Ｖｉｄｅｏ記録判定手段により前記ＤＶＤ−Ｖｉｄｅ
ｏに必要な情報が記録されていると判定されたときに当該光ディスクは規格違反の光ディ
スクとしてエラーをディスプレイ装置に表示させる規格違反ディスクエラー表示手段とを
有する。
【００２０】
したがって、光ディスクが挿入された後、当該光ディスクのデータが正常に読み出され
なかったとき、ディスプレイ装置にエラー表示が行われ、これにより、当該光ディスクは
、データが記録されていない光ディスク、傷が付いている光ディスク、もしくは安価な光
ディスクで作成された光ディスクの可能性があることが分り、別の新しい光ディスクでＤ
ＶＤ−Ｖｉｄｅｏを作成してもらうように指示することができる。また、当該光ディスク
が規格違反のとき、ディスプレイ装置にエラー表示が行われ、これにより、作成したソフ
トウェアの提供業者、もしくは光ディスク装置の製造元に問い合わせてもらうように指示
することができる。また、当該光ディスクがＤＶＤ−Ｖｉｄｅｏの規格の光ディスクでな
いとき、ディスプレイ装置にエラー表示が行われ、これにより、ＤＶＤ−Ｖｉｄｅｏが記
録された光ディスクを挿入してもらうように指示することができる。
【００２１】
請求項４の発明では、請求項３の発明において、前記第１のフォーマットはＵＤＦであ
り、前記第２のフォーマットはＩＳＯ９６６０であるので、当該光ディスクに記録された
ファイルシステムがＵＤＦであり、また、当該光ディスクに記録されたファイルシステム
がＩＳＯ９６６０である場合に、各エラーの表示処理が実行可能になる。
【発明の効果】
【００２２】
以上のように本発明によれば、光ディスクが挿入された後、当該光ディスクに記録され
たデータが正常に読み出されたか否かを判定する読出判定手段と、前記データが正常に読
み出されなかったと判定されたときにリードエラーをディスプレイ装置に表示させるリー
ドエラー表示手段と、前記データが正常に読み出されたと判定されたときに当該光ディス
クにＵＤＦが記録されているか否かを判定するＵＤＦ記録判定手段と、前記ＵＤＦが記録
されていると判定されたときにＤＶＤ−Ｖｉｄｅｏに必要な情報が記録されているか否か
を判定する第１のＤＶＤ−Ｖｉｄｅｏ記録判定手段と、前記ＤＶＤ−Ｖｉｄｅｏに必要な
情報が記録されていると判定されたときに当該光ディスクは再生可能な光ディスクとして
再生させる再生制御手段と、前記ＵＤＦ記録判定手段により前記ＵＤＦが記録されていな
いと判定されたときに当該光ディスクにＩＳＯ９６６０が記録されているか否かを判定す
るＩＳＯ９６６０記録判定手段と、前記ＩＳＯ９６６０が記録されていないと判定された
ときに当該光ディスクはデータが記録されていない光ディスクとしてエラー表示をディス
プレイ装置に表示させるデータ未記録エラー表示手段と、前記ＩＳＯ９６６０が記録され
ていると判定されたときにＤＶＤ−Ｖｉｄｅｏに必要な情報が記録されているか否かを判
定する第２のＤＶＤ−Ｖｉｄｅｏ記録判定手段と、前記第１のＤＶＤ−Ｖｉｄｅｏ記録判
定手段または前記第２のＤＶＤ−Ｖｉｄｅｏ記録判定手段により前記ＤＶＤ−Ｖｉｄｅｏ
に必要な情報が記録されていないと判定されたときに当該光ディスクはＤＶＤ−Ｖｉｄｅ
ｏではないというエラーをディスプレイ装置に表示させる異ＤＶＤ−Ｖｉｄｅｏエラー表
示手段と、前記第２のＤＶＤ−Ｖｉｄｅｏ記録判定手段により前記ＤＶＤ−Ｖｉｄｅｏに
必要な情報が記録されていると判定されたときに当該光ディスクは規格違反の光ディスク
としてエラーをディスプレイ装置に表示させる規格違反ディスクエラー表示手段とを有す
るシステムコントローラを備えたので、ＤＶＤ−Ｖｉｄｅｏの光ディスクが再生できない
場合に、なぜ再生できないかを調査して、ユーザはどのように対処すれば良いかを支援す
ることができ、これにより、一般ユーザのＤＶＤ−Ｖｉｄｅｏに関する専門知識の理解を
深めることができ、したがって、次回にＤＶＤ−Ｖｉｄｅｏを作成するときに失敗する確
率を減らすことができ、ユーザからのクレームを減らすことができる。
【００２３】
また、本発明によれば、光ディスクが挿入された後、当該光ディスクのデータが正常に
読み出されなかったときのエラー表示、当該光ディスクが規格違反のときのエラー表示、
および当該光ディスクがＤＶＤ−Ｖｉｄｅｏの規格の光ディスクでないときのエラー表示
をディスプレイ装置に行わせるシステムコントローラを備えたので、ＤＶＤ−Ｖｉｄｅｏ
の光ディスクが再生できない場合に、なぜ再生できないかを調査して、ユーザはどのよう
に対処すれば良いかを支援することができ、これにより、一般ユーザのＤＶＤ−Ｖｉｄｅ
ｏに関する専門知識の理解を深めることができ、したがって、次回にＤＶＤ−Ｖｉｄｅｏ
を作成するときに失敗する確率を減らすことができ、ユーザからのクレームを減らすこと
ができる。
【発明を実施するための最良の形態】
【００２４】
以下、添付図面を参照しつつ、本発明の実施の形態について説明する。図１は本発明の
一実施形態に係る光ディスク装置としてのＤＶＤレコーダの構成を示すブロック図である
。
【００２５】
このＤＶＤレコーダは、光ディスク１を回転させるスピンドルモータ５と、光ディスク
１に対して情報の記録／再生を行うためのレーザ光を出射すると共に光ディスク１からの
反射光を受光する光ピックアップ２と、この光ピックアップ２を光ディスク１の半径方向
に移動させるためのスレッド３と、装置全体を制御するシステムコントローラ２２と、こ
のシステムコントローラ２２の指示に応じてスピンドルモータ５およびスレッド３を駆動
すると共に光ピックアップ２に内蔵された対物レンズ（図示せず）を動かすことによりレ
ーザ光の焦点位置を光ディスク１の記録面に対して垂直方向および水平方向に移動させる
制御を行うサーボ制御部４とを備えている。
【００２６】
また、このＤＶＤレコーダは、光ディスク１の再生時に光ピックアップ２からの読取信
号であるＲＦ信号を増幅するＲＦアンプ６と、このＲＦアンプ６から出力されたＲＦ信号
をデジタルデータに変換した後に光ディスク１のデータフォーマットに応じた信号復調処
理とＥＣＣエラー訂正処理を行って生成したデータをＲＡＭ７に格納するデジタル信号処
理部８と、システムコントローラ２２の指示に応じてデジタル信号処理部８から出力され
たデータストリームの中からオーディオデータとサブピクチャデータとビデオデータとを
分離するストリーム分離部９とを備えている。
【００２７】
また、このＤＶＤレコーダは、ストリーム分離部９から出力されたオーディオデータを
入力して所定のデコード処理を行うオーディオデコーダ１１と、このオーディオデコーダ
１１でのデコード処理を行うためにデータを一時的に格納するＲＡＭ１０と、ストリーム
分離部９から出力されたサブピクチャデータを入力して所定のデコード処理を行うサブピ
クチャデコーダ１３と、このサブピクチャデコーダ１３でのデコード処理を行うためにデ
ータを一時的に格納するＲＡＭ１２と、ストリーム分離部９から出力されたビデオデータ
を入力して所定のデコード処理を行うビデオデコーダ１５と、このビデオデコーダ１５で
のデコード処理を行うためにデータを一時的に格納するＲＡＭ１４とを備えている。
【００２８】
また、このＤＶＤレコーダは、システムコントローラ２２の指示に応じてビデオデコー
ダ１５から出力されたデータとサブピクチャデコーダ１３から出力されたデータとを合成
するビデオプロセッサ１７と、このビデオプロセッサ１７から出力された合成データを表
示用のビデオ信号に変換して画像をディスプレイ装置２０に表示させるビデオエンコーダ
１８と、オーディオデコーダ１１から出力されたデータをアナログのオーディオ信号に変
換して例えばスピーカ１９に供給するＤ／Ａ変換器１６とを備えている。
【００２９】
また、このＤＶＤレコーダは、システムコントローラ２２に対して赤外線信号により、
再生指示を与えるための再生キー、再生停止を指示するための停止キー、記録指示を与え
るための記録キー、および電源キーなどの各種操作キーを有するリモコン２１と、装置の
各構成要素を制御したり、装置全体を制御したりするためのプログラムやデータが記憶さ
れたフラッシュＲＯＭ２３と、このフラッシュＲＯＭ２３のプログラムやデータに従って
演算処理を行いシステムコントローラ２２を制御するＣＰＵ２４と、このＣＰＵ２４の処
理に必要なデータを一時的に格納するＲＡＭ２７とを備えている。
【００３０】
また、このＤＶＤレコーダは、図示しないテレビジョン受信機やパーソナルコンピュー
タなどから送られてきた映像音声データを光ディスク１に記録するために変調をかける記
録データ変調回路２５と、この記録データ変調回路２５により変調された変調データに基
づいて光ピックアップ２から出射するレーザ光を変調させるためのレーザ変調信号を光ピ
ックアップ２に出力するレーザ変調回路２６とを備えている。
【００３１】
システムコントローラ２２は、本実施形態の特徴とする構成要素として、光ディスク１
が挿入された後、当該光ディスク１に記録されたデータが正常に読み出されたか否かを判
定する読出判定手段２２１と、前記データが正常に読み出されなかったと判定されたとき
にリードエラーをディスプレイ装置２０に表示させるリードエラー表示手段２２２と、前
記データが正常に読み出されたと判定されたときに当該光ディスク１にＵＤＦが記録され
ているか否かを判定するＵＤＦ記録判定手段２２３と、前記ＵＤＦが記録されていると判
定されたときにＤＶＤ−Ｖｉｄｅｏに必要な情報が記録されているか否かを判定する第１
のＤＶＤ−Ｖｉｄｅｏ記録判定手段２２４と、前記ＤＶＤ−Ｖｉｄｅｏに必要な情報が記
録されていると判定されたときに当該光ディスク１は再生可能な光ディスクとして再生さ
せる再生制御手段２２５とを有する。
【００３２】
また、システムコントローラ２２は、ＵＤＦ記録判定手段２２３により前記ＵＤＦが記
録されていないと判定されたときに当該光ディスク１にＩＳＯ９６６０が記録されている
か否かを判定するＩＳＯ９６６０記録判定手段２２６と、前記ＩＳＯ９６６０が記録され
ていないと判定されたときに当該光ディスク１はデータが記録されていない光ディスクと
してエラー表示をディスプレイ装置２０に表示させるデータ未記録エラー表示手段２２７
と、前記ＩＳＯ９６６０が記録されていると判定されたときにＤＶＤ−Ｖｉｄｅｏに必要
な情報が記録されているか否かを判定する第２のＤＶＤ−Ｖｉｄｅｏ記録判定手段２２８
とを有する。
【００３３】
また、システムコントローラ２２は、第１のＤＶＤ−Ｖｉｄｅｏ記録判定手段２２４ま
たは第２のＤＶＤ−Ｖｉｄｅｏ記録判定手段２２８により前記ＤＶＤ−Ｖｉｄｅｏに必要
な情報が記録されていないと判定されたときに当該光ディスク１はＤＶＤ−Ｖｉｄｅｏで
はないというエラーをディスプレイ装置２０に表示させる異ＤＶＤ−Ｖｉｄｅｏエラー表
示手段２２９と、前記第２のＤＶＤ−Ｖｉｄｅｏ記録判定手段２２８により前記ＤＶＤ−
Ｖｉｄｅｏに必要な情報が記録されていると判定されたときに当該光ディスク１は規格違
反の光ディスクとしてエラーをディスプレイ装置２０に表示させる規格違反ディスクエラ
ー表示手段２３０とを有する。
【００３４】
図２は本実施形態においてＤＶＤ−Ｖｉｄｅｏの規格によりＤＶＤの光ディスクに記録
されているデータ構造を示す図である。図２において、ビデオオブジェクトセット（ＶＯ
ＢＳ）は、複数のビデオオブジェクト（ＶＯＢ）、即ち、（Ｖ０Ｂ＿ＩＤＮ１），（Ｖ０
Ｂ＿ＩＤＮ２），・・・，（Ｖ０Ｂ＿ＩＤＮｉ）から構成される。前記ＩＤＮ１，ＩＤＮ
２，・・・，ＩＤＮｉは、識別番号を示す。そして、各ビデオオブジェクト（ＶＯＢ）は
複数のセル（Ｃｅｌｌ）から構成されている。例えば、ビデオオブジェクト（Ｖ０Ｂ＿Ｉ
ＤＮ１）は、複数のセル（Ｃ＿ＩＤＮ１），（Ｃ＿ＩＤＮ２），・・・，（Ｃ＿ＩＤＮｊ
）から構成される。なお、前記ＩＤＮ１，ＩＤＮ２，・・・，ＩＤＮｊは、識別番号を示
す。
【００３５】
例えば、セル（Ｃ＿ＩＤＮ１）は、複数のビデオオブジェクトユニット（ＶＯＢＵ）か
ら構成される。各ビデオオブジェクトユニット（ＶＯＢＵ）は、ナビゲーションパック（
ＮＶ＿ＰＣＫ）、オーディオパック（Ａ＿ＰＣＫ）、ビデオパック（Ｖ＿ＰＣＫ）、およ
びサブピクチャパック（ＳＰ＿ＰＣＫ）を含み構成される。
【００３６】
前記ナビゲーションパック（ＮＶ＿ＰＣＫ）および前記オーディオパック（Ａ＿ＰＣＫ
）は、例えば２０４８バイトで構成され、例えば、１４バイトのパックヘッダー（Ｐａｃ
ｋ  ｈｅａｄｅｒ）、２４バイトのシステムヘッダー（Ｓｙｓｔｅｍ  ｈｅａｄｅｒ）、
６バイトのパケットヘッダー（Ｐａｃｋｅｔ  ｈｅａｄｅｒ）、１バイトのサブストリー
ム識別子（Ｓｕｂ＿ｓｔｒｅａｍ＿ｉｄ）、９７９バイトのプレイコントロール情報デー
タ（ＰＣＩ  ｄａｔａ）、６バイトのパケットヘッダー（Ｐａｃｋｅｔ  ｈｅａｄｅｒ）
、１バイトのサブストリーム識別子（Ｓｕｂ＿ｓｔｒｅａｍ＿ｉｄ）、および１０１７バ
イトのデータサーチ情報データ（ＤＳＩ  ｄａｔａ）から構成される。
【００３７】
６バイトのパケットヘッダー（Ｐａｃｋｅｔ  ｈｅａｄｅｒ）と１バイトのサブストリ
ーム識別子（Ｓｕｂ＿ｓｔｒｅａｍ＿ｉｄ）と９７９バイトのプレイコントロール情報デ
ータ（ＰＣＩ  ｄａｔａ）とにより、プレイコントロールパケット（ＰＣＩ＿ＰＫＴ）を
構成する。６バイトのパケットヘッダー（Ｐａｃｋｅｔ  ｈｅａｄｅｒ）と１バイトのサ
ブストリーム識別子（Ｓｕｂ＿ｓｔｒｅａｍ＿ｉｄ）と１０１７バイトのデータサーチ情
報データ（ＤＳＩ  ｄａｔａ）とにより、データサーチ情報パケット（ＤＳＩ＿ＰＫＴ）
を構成する。
【００３８】
１０１７バイトで構成されるデータサーチ情報データ（ＤＳＩ  ｄａｔａ）は、３２バ
イトのデータサーチ情報ジェネラル情報、１４８バイトのシームレス再生情報（ＳＭＩ＿
ＰＢＩ）、５４バイトのシームレスアングル情報（ＳＭＬ＿ＡＧＬＩ）、１６８バイトの
ビデオオブジェクトユニットサーチ情報（ＶＯＢＵ＿ＳＲＩ）、１４４バイトの同期情報
（ＳＹＮＣＩ）、および４７１バイトのリザーブド（ｒｅｓｅｒｖｅｄ）から構成される
。
【００３９】
１６８バイトのビデオオブジェクトユニットサーチ情報（ＶＯＢＵ＿ＳＲＩ）は、４バ
イトのビデオのフォワード情報（ＦＷＤＩ  Ｖｉｄｅｏ）と、１６０バイトのデータ領域
と、４バイトのビデオのバックワード情報（ＢＷＤＩ  Ｖｉｄｅｏ）とから構成される。
ビデオのフォワード情報（ＦＷＤＩ  Ｖｉｄｅｏ）は、ビデオストリーム（ナビゲーショ
ンパックのスタートアドレス）においての次のビデオオブジェクトユニット（ＶＯＢＵ）
のスタートアドレスを示す。ビデオのバックワード情報（ＢＷＤＩ  Ｖｉｄｅｏ）は、ビ
デオストリーム（ナビゲーションパックのスタートアドレス）においての以前のビデオオ
ブジェクトユニット（ＶＯＢＵ）のスタートアドレスを示す。
【００４０】
本実施形態では、次のような処理を行うことを特徴としている。
【００４１】
データが正しく読める光ディスクであるかを調べる。データを正しく読むことができな
かったときは、データが記録されていない光ディスク、傷が付いている光ディスク、もし
くは安価なメディア（光ディスク）で作成された可能性があるため、別の新しい光ディス
クで作成してもらうように指示する。
【００４２】
光ディスクに記録されたファイルシステムがＵＤＦであるかどうかを調べる。ＵＤＦで
記録されていなかった場合、ＩＳＯ９６６０で記録されているかどうかを調べる。ＩＳＯ
９６６０で記録されていなかった場合、データが記録されていない光ディスクの可能性が
高いので、データが記録された光ディスクを光ディスク装置に挿入してもらうように指示
する。ＩＳＯ９６６０で記録されている場合、ＤＶＤ−Ｖｉｄｅｏの再生に必要なファイ
ルが記録されているかを調べる。ＤＶＤ−Ｖｉｄｅｏの再生に必要なファイルが記録され
ていたら、規格違反の光ディスクのため、作成したソフト会社、もしくは光ディスク装置
（ＤＶＤレコーダやＤＶＤプレイヤ）の製造元に問い合わせてもらうように指示する。Ｄ
ＶＤ−Ｖｉｄｅｏの再生に必要なファイルが記録されていなかったら、ＤＶＤ−Ｖｉｄｅ
ｏが記録された光ディスクではないので、ＤＶＤ−Ｖｉｄｅｏが記録された光ディスクを
光ディスク装置に挿入してもらうように指示する。
【００４３】
ＤＶＤ−Ｖｉｄｅｏの再生に必要なファイルが記録されているかを調べる。ＤＶＤ−Ｖ
ｉｄｅｏの再生に必要なファイルが記録されていなかったら、ＤＶＤ−Ｖｉｄｅｏが記録
された光ディスクではないので、ＤＶＤ−Ｖｉｄｅｏが記録された光ディスクを光ディス
ク装置に挿入してもらうように指示する。
【００４４】
図３は本実施形態においてＵＤＦブリッジボリュームの構造例を説明するための図であ
る。図４は本実施形態においてＵＤＦファイルの構造例を説明するための図である。図５
は本実施形態において当該光ディスクのデータが読めなかったときのリードエラー表示の
一例を示す図であり、図６は本実施形態において当該光ディスクが規格違反の光ディスク
であるときの規格違反エラー表示の一例を示す図である。図７は本実施形態において当該
光ディスクがＤＶＤ−Ｖｉｄｅｏではないことの表示の一例を示す図である。図８は本実
施形態において各エラーの表示を行うための処理を示すフローチャートである。
【００４５】
以下、図８のフローチャートおよび図１〜図７を参照して本実施形態において各エラー
の表示を行うための処理について説明する。
【００４６】
光ディスク１が挿入され、立ち上がった後、システムコントローラ２２の読出判定手段
２２１は、傷などで光ディスク１のデータが正常に読めなかったか否を判定する（ステッ
プＳ１）。即ち、読出判定手段２２は、例えば光ディスク１かの光の反射率を調べて、正
常にデータが読み取られているか否かを判定し、正常に読み取られていなかったときに、
リードエラー信号を発生する。そして、光ディスク１に記録されたデータが正常に読めな
かったとき、リードエラー表示手段２２２は、前記リードエラー信号に応答して、ディス
プレイ装置２０に、例えば図５に示すように、「光ディスクを読むことができません。光
ディスクを確認してください。」というリードエラーを示すメッセージを表示させる（ス
テップＳ２）。
【００４７】
一方、光ディスク１のデータが正常に読み出されたと判定されたとき（ステップＳ１）
、ＵＤＦ記録判定手段２２３は、例えば、図３に示すように、論理セクタ１６から２０ま
でに構造識別子「ＢＥＡ０１」が記録されているかを確認することにより、光ディスク１
にＵＤＦが記録されているか否かを判定する（ステップＳ３）。前記ＵＤＦが記録されて
いると判定されたときに、第１のＤＶＤ−Ｖｉｄｅｏ記録判定手段２２４は、ＤＶＤ−Ｖ
ｉｄｅｏに必要な情報が記録されているか否かを判定する（ステップＳ４）。
【００４８】
前記ＤＶＤ−Ｖｉｄｅｏに必要な情報の取得について図３と図４を参照して説明する。
先ず、論理セクタ２５６のアンカボリューム記述子ポインタをリードし、主ボリューム記
述子シーケンスの位置と主ボリューム記述子シーケンスの長さとを取得する。次に、主ボ
リューム記述子シーケンスからパーティション記述子を見つけてパーティション開始位置
を取得する。更に、主ボリューム記述子シーケンスから論理ボリューム記述子を見つけ、
ファイル集合記述子位置を取得する。この後、パーティション開始位置とファイル集合記
述子位置からファイル集合記述子位置を求める。
【００４９】
次に、ファイル集合記述子からファイルエントリー（ルートディレクトリ）位置を取得
する。ファイルエントリー（ルートディレクトリ）からＶＩＤＥＯ＿ＴＳファイル識別子
記述子を見つける。このＶＩＤＥＯ＿ＴＳファイル識別子記述子からファイルエントリー
（ＶＩＤＥＯ＿ＴＳディレクトリ）位置を取得する。そして、ファイルエントリー（ＶＩ
ＤＥＯ＿ＴＳディレクトリ）からＶＩＤＥＯ＿ＴＳ．ＩＦＯファイル識別子記述子を見つ
ける。次に、ＶＩＤＥＯ＿ＴＳ．ＩＦＯファイル識別子記述子からファイルエントリー（
ＶＩＤＥＯ＿ＴＳ．ＩＦＯ）位置を取得する。この後、ファイルエントリー（ＶＩＤＥＯ
＿ＴＳ．ＩＦＯ）からＶＭＧＩ（ビデオ管理情報）の先頭論理セクタ番号を取得する。
【００５０】
以上取得された情報がステップＳ４で言うＤＶＤ＿Ｖｉｄｅｏに必要な情報となる。前
記ＤＶＤ−Ｖｉｄｅｏに必要な情報が記録されていると判定されたときに、再生制御手段
２２５は、光ディスク１は再生可能な光ディスクとして再生させる（ステップＳ５）。
【００５１】
ＵＤＦ記録判定手段２２３により光ディスク１にはＵＤＦが記録されていないと判定さ
れたとき（ステップＳ３）、ＩＳＯ９６６０記録判定手段２２６は、論理セクタ１６から
構造識別子「ＣＤ００１」が記録されているかを確認することにより、光ディスク１にＩ
ＳＯ９６６０が記録されているか否かを判定する（ステップＳ７）。前記ＩＳＯ９６６０
が記録されていないと判定されたとき、データ未記録エラー表示手段２２７は、光ディス
ク１はデータが記録されていない光ディスクとして、エラー表示をディスプレイ装置２０
に表示させる（ステップＳ８）。
【００５２】
前記ＩＳＯ９６６０が記録されていると判定されたとき（ステップＳ７）、第２のＤＶ
Ｄ−Ｖｉｄｅｏ記録判定手段２２８は、ＤＶＤ−Ｖｉｄｅｏに必要な情報が光ディスク１
に記録されているか否かを判定する（ステップＳ９）。ＤＶＤ−Ｖｉｄｅｏに必要な情報
については、前述したので、ここでは説明を省略する。
【００５３】
第１のＤＶＤ−Ｖｉｄｅｏ記録判定手段２２４または第２のＤＶＤ−Ｖｉｄｅｏ記録判
定手段２２８により前記ＤＶＤ−Ｖｉｄｅｏに必要な情報が記録されていないと判定され
たとき（ステップＳ４またはステップＳ９）、異ＤＶＤ−Ｖｉｄｅｏエラー表示手段２２
９は、光ディスク１はＤＶＤ−Ｖｉｄｅｏではないというエラーを、ディスプレイ装置２
０に表示させる（ステップＳ６またはステップＳ１１）。例えば、図７に示すように、デ
ィスプレイ装置２０に「この光ディスクはＤＶＤ−Ｖｉｄｅｏではありません。光ディス
クを確認してください。」というようなエラーメッセージを表示する。
【００５４】
前記第２のＤＶＤ−Ｖｉｄｅｏ記録判定手段２２８により前記ＤＶＤ−Ｖｉｄｅｏに必
要な情報が記録されていると判定されたとき（ステップＳ９）、光ディスク１は規格違反
の光ディスクとしてエラーを、ディスプレイ装置２０に表示させる（ステップＳ１０）。
例えば、図６に示すように、ディスプレイ装置２０に「この光ディスクは規格違反の可能
性があります。作成したソフト会社もしくはレコーダの製造元に問い合わせてください。
」というようなエラーメッセージを表示する。
【００５５】
以上説明したように本実施形態によれば、ＤＶＤ−Ｖｉｄｅｏの光ディスクが再生でき
ない場合に、なぜ再生できないかを調査して、ユーザはどのように対処すれば良いかを支
援することができ、これにより、一般ユーザのＤＶＤ−Ｖｉｄｅｏに関する専門知識の理
解を深めることができ、したがって、次回にＤＶＤ−Ｖｉｄｅｏを作成するときに失敗す
る確率を減らすことができ、ユーザからのクレームを減らすことができる。
【００５６】
なお、本実施形態では、光ディスク装置として記録／再生が可能なＤＶＤレコーダに対
して各エラーを表示させる処理について説明したが、再生のみ可能なＤＶＤプレイヤに対
しても同様に各エラーを表示させる処理を採用できることは言うまでもない。
【図面の簡単な説明】
【００５７】
【図１】本発明の一実施形態に係る光ディスク装置としてのＤＶＤレコーダの構成を示すブロック図である。
【図２】前記実施形態においてＤＶＤ−Ｖｉｄｅｏの規格によりＤＶＤの光ディスクに記録されているデータ構造を示す図である。
【図３】前記実施形態においてＵＤＦブリッジボリュームの構造例を説明するための図である。
【図４】前記実施形態においてＵＤＦファイルの構造例を説明するための図である。
【図５】前記実施形態において当該光ディスクのデータが読めなかったときのリードエラー表示の一例を示す図である。
【図６】前記実施形態において当該光ディスクが規格違反の光ディスクであるときの規格違反エラー表示の一例を示す図である。
【図７】前記実施形態において当該光ディスクがＤＶＤ−Ｖｉｄｅｏではないことの表示の一例を示す図である。
【図８】前記実施形態において各エラーの表示を行うための処理を示すフローチャートである。
【符号の説明】
【００５８】
１    光ディスク
２２    システムコントローラ
２２１    読出判定手段
２２２    リードエラー表示手段
２２３    ＵＤＦ記録判定手段
２２４    第１のＤＶＤ−Ｖｉｄｅｏ記録判定手段
２２５    再生制御手段
２２６    ＩＳＯ９６６０記録判定手段
２２７    データ未記録エラー表示手段
２２８    第２のＤＶＤ−Ｖｉｄｅｏ記録判定手段
２２９    異ＤＶＤ−Ｖｉｄｅｏエラー表示手段
２３０    規格違反ディスクエラー表示手段
【図１】
2006351153.tif 000003
【図２】
2006351153.tif 000004
【図３】
2006351153.tif 000005
【図４】
2006351153.tif 000006
【図５】
2006351153.tif 000007
【図６】
2006351153.tif 000008
【図７】
2006351153.tif 000009
【図８】
2006351153.tif 000010